(57)【要約】【課題】  薄膜振動子と半導体基板との浮遊容量の少ない半導体装置の構造を提供するとともに、圧電体を用いなくても一般的な薄膜形成技術によって形成でき、高周波化と低電圧駆動が可能な薄膜振動子を有する半導体装置を提供することにある。【解決手段】  半導体基板１０１には、薄膜振動子１００が形成された領域の半導体基板１０１の裏面から絶縁膜１０２まで刳り抜かれて凹部１０３が形成される。刳り抜く領域は、薄膜振動子１００が形成された領域すべてにわたって基板１０１の裏面から刳り抜かれている。刳り抜きの結果、薄膜振動子１００は絶縁膜１０２上に形成された構成になる。【選択図】      図２
2005229564.tif 000002
【特許請求の範囲】
【請求項１】
静電力によって振動する振動部と電極を有する振動体と、
絶縁膜と、
半導体基板とを備える半導体装置であって、
前記振動体と前記半導体基板が接合する領域の前記半導体基板裏面の少なくとも一部が
刳り抜かれ、刳り抜かれた部分の前記振動体と前記半導体基板の接合する領域が前記絶縁
膜のみからなることを特徴とする半導体装置。
【請求項２】
半導体基板上に間隙を介して配置された振動部を有する振動層と、
前記振動部の両側にそれぞれ間隙を介して対向配置される電極面を備えた励振電極と、
前記振動部及び前記励振電極に接続された回路構造とを有する薄膜振動子と、
絶縁膜とを備える半導体装置であって、
前記薄膜振動子と前記半導体基板が接合する領域の前記半導体基板裏面の少なくとも一
部が刳り抜かれ、刳り抜かれた部分の前記薄膜振動子と前記半導体基板の接合する領域が
前記絶縁膜のみからなることを特徴とする半導体装置。
【請求項３】
前記回路構造により前記振動部の外面と前記電極面との間に静電力を発生させて前記振
動部に前記外面間の厚みが増減する伸縮モードの振動を励起させるように構成されている
ことを特徴とする請求項２に記載の半導体装置。
【請求項４】
前記半導体基板はシリコン基板であり、前記振動層はポリシリコン薄膜で構成されてい
ることを特徴とする請求項２又は３に記載の半導体装置。
【請求項５】
前記電極面は平面であり、前記振動部の前記外面は前記電極面と平行な平面となってい
ることを特徴とする請求項２乃至４のいずれか一項に記載の半導体装置。
【請求項６】
前記外面及び前記電極面は、前記半導体基板の表面と垂直に構成されていることを特徴
とする請求項２乃至５のいずれか一項に記載の半導体装置。
【請求項７】
前記回路構造は、前記半導体基板上に一体に構成されていることを特徴とする請求項２
乃至６のいずれか一項に記載の半導体装置。
【発明の詳細な説明】
【技術分野】
【０００１】
本発明は半導体装置に係り、特に、通信などの信号処理に用いられる薄膜振動子フィル
タや各種電子機器のクロック源などとして用いられる薄膜振動子を構成する振動体を備え
る半導体装置に関する。
【背景技術】
【０００２】
一般に、半導体基板上に薄膜を形成することによって構成される各種の薄膜振動子が知
られている。このような薄膜振動子としては、圧電体の薄膜を振動層（振動体）として用
いることにより、高周波に対応した高いＱ値を有する小型化された振動子が既に実現され
ている。
【０００３】
例えば、圧電体であるＡｌＮの薄膜を備えたダイアフラム構造で薄膜の厚み方向に振動
するように構成された薄膜振動子が知られている（例えば、非特許文献１及び２参照）。
これらの圧電体を備えた薄膜振動子では、１ＧＨｚを超える高周波数域で高いＱ値が得ら
れている。
【０００４】
また、櫛歯状電極を有する微細な可動体を基板上にスライド可能に構成し、静電力によ
って可動体を振動させるようにした共振子が知られている（例えば、非特許文献３参照）
。
【０００５】
【非特許文献１】「ＡｌＮ薄膜を用いた音響多層薄膜型及びダイアフラム型薄膜バルク共振子」  斉藤久俊、野口隆男、阿部秀典、山下喜就  圧電材料・デバイスシンポジウム２００３予稿集  第３９−４２頁  （２００３年２月２７日（木）、２８日（金）東北大学工学部青葉記念会館）
【非特許文献２】「ＭＯＣＶＤ法によるＡｌＮ薄膜を用いた薄膜バルク波共振器」  梁充模、中村仁志、上原健誠、金成權、亀田卓、中瀬博之、坪内和夫  第３２回ＥＭシンポジウム予稿集（平成１５年５月１５日（木）〜１６日（金）東京都立大学国際交流会館大会議室）
【非特許文献３】「Ｌａｔｅｒａｌｌｙ  Ｄｒｉｖｅｎ  Ｒｅｓｏｎａｎｔ  Ｍｉｃｒｏｓｔｒｕｃｔｕｒｅｓ」  ＷＩＬＬＩＡＭ  Ｃ．ＴＡＮＧ，  ＴＵ−ＣＵＯＮＧ，  Ｈ．ＮＧＵＹＥＮ  ａｎｄ  ＲＯＧＥＲ  Ｔ．ＨＯＷＥ  Ｓｅｎｓｏｒｓ  ａｎｄ  Ａｃｔｕａｔｏｒｓ，２０（１９８９）Ｐ．２５−３２
【発明の開示】
【発明が解決しようとする課題】
【０００６】
しかしながら、半導体基板上に半導体との絶縁を行う目的で、絶縁膜を介して振動体を
形成した場合、振動体の電極と半導体基板の間で寄生容量が発生する。一方、振動体の振
動に起因する静電容量の変動量は、上記の寄生容量と電極間の容量の和に較べてかなり小
さい。このように、静電容量の可動電極が振動することによって生ずる静電容量の変動成
分（可変容量）の割合が小さいため、充分な信号出力を得るためには駆動電圧を高くする
必要があることから、低電圧化を図る事が難しく、省電力化が困難であるという問題点が
ある。
【０００７】
また、上記のような薄膜振動子をＩＣなどの集積回路と一体化することにより各種の電
子回路などをさらに小型化することができる可能性が考えられる。しかしながら、一般に
前述のように圧電体薄膜を用いた薄膜振動子では、シリコン基板上に圧電体薄膜を有する
振動子構造を形成しても、通常のシリコン半導体プロセスでは用いられない材料、すなわ
ち圧電体、例えば、上記のＡｌＮ，ＰｂＺｒＯ3，ＰｂＴｉＯ3などを構成する異種材料を
用いる必要があるため、半導体基板上に構成されたトランジスタなどの回路素子の特性に
影響を与える可能性がある。また、一般に良好な結晶性を備えた特性の良い圧電体薄膜を
形成する場合には、通常のシリコン半導体プロセスで用いられる温度よりかなり高い（例
えば８００℃を越える）基板温度で成膜する必要があるが、このような温度では、半導体
基板中のドーピング分布の変化などによる素子特性の変成、素子破壊、配線の溶断などが
発生する可能性がある。
【０００８】
一方、上記の静電力を利用した可動構造を有する振動子では、可動体を高速に往復動作
させることが困難であることから、振動子の高周波化が難しいという問題点がある。また
、半導体基板である例えばシリコン基板と振動子の間の容量成分が大きく、振動による可
変容量をとらえにくいため高電圧で駆動する必要があった。
【０００９】
そこで、本発明は上記の問題点の少なくとも一部を解決するものであり、その目的は、
圧電体を用いなくても一般的な薄膜形成技術によって形成できるとともに、半導体基板と
振動子間の寄生容量が小さくて、高周波化と低電圧駆動が可能な薄膜振動子を有する半導
体装置を提供することにある。また、半導体回路と容易に一体化することができる薄膜振
動子を有する半導体装置の構造を提供することにある。
【課題を解決するための手段】
【００１０】
本発明の半導体装置は、静電力によって振動する振動部と電極を有する振動体と、絶縁
膜と、半導体基板とを備える半導体装置であって、前記振動体と前記半導体基板が接合す
る領域の前記半導体基板裏面の少なくとも一部が刳り抜かれ、刳り抜かれた部分の前記振
動体と前記半導体基板の接合する領域が前記絶縁膜のみからなることを特徴とする。
【００１１】
この発明によれば、振動体直下の半導体基板をなくすことにより、半導体基板と振動体
間の寄生容量が低減できる。従って、振動体を高電圧で駆動する必要がなくなり、振動に
よる可変容量をとらえ易くなり、更なる駆動電圧の低電圧化が可能になる。
【００１２】
本発明の半導体装置は、半導体基板上に間隙を介して配置された振動部を有する振動層
と、前記振動部の両側にそれぞれ間隙を介して対向配置される電極面を備えた励振電極と
、前記振動部及び前記励振電極に接続された回路構造とを有する薄膜振動子と、絶縁膜と
を備える半導体装置であって、前記薄膜振動子と前記半導体基板が接合する領域の前記半
導体基板裏面の少なくとも一部が刳り抜かれ、刳り抜かれた部分の前記薄膜振動子と前記
半導体基板の接合する領域が前記絶縁膜のみからなることを特徴とする。
【００１３】
この発明によれば、圧電体を用いない薄膜の厚み振動子なので、回路と一体形成を行う
ときに、異種材料が半導体基板上の素子（トランジスタ等）の特性に影響することが少な
い。また、異種材料の拡散や異種材料形成時の温度管理などの問題が発生せず、形成が容
易である。さらに、振動子直下の半導体基板をなくすことにより、半導体基板と振動子間
の寄生容量が低減できる。従って、振動子を高電圧で駆動する必要がなくなり、振動によ
る可変容量をとらえ易くなり、更なる駆動電圧の低電圧化が可能になる。
【００１４】
また、本発明の半導体装置は、前記回路構造により前記振動部の外面と前記電極面との
間に静電力を発生させて前記振動部に前記外面間の厚みが増減する伸縮モードの振動を励
起させるように構成されていることを特徴とする。
【００１５】
この発明によれば、この振動部の両側にそれぞれ間隙を介して対向配置される電極面を
備えた励振電極を設けることにより、励振電極の間に配置された振動部が静電力を受けて
伸縮モードの振動、すなわち、電極面に間隙を介して挟まれた振動部の厚みを増減させる
振動が励起されるため、撓み振動や捩り振動などの振動モードとは異なり振動モードその
ものが振動子の高周波化に適していると同時に、振動部を構成する素材の機械定数や厚み
によって周波数を設定することができるため、振動モードの高周波化が容易になる。
【００１６】
また、上記のような伸縮モードの振動であることに加えて振動部が基板上に間隙を介し
て配置されているため、振動部に励起される振動エネルギーの損失を低減することができ
る。
【００１７】
さらに、半導体製造プロセスを用いる場合においては、圧電体などの異種材料の使用や
高温成膜などの高温処理を必要としないので、他の回路構造への悪影響を防止することが
できることから、振動子構造とこれに接続される回路構造とを容易に一体化することがで
きる。
【００１８】
ここで、振動部の伸縮モードの振動は、振動層と励振電極との間の静電容量を変化させ
るので、この静電容量の変化によって共振器を構成したり、クロック信号を生成したりす
ることが可能になる。
【００１９】
また、上記間隙には、振動部の振動を実質的に妨げない程度の、絶縁性を有する流体、
粒体、柔軟層などが介在していてもよい。ここで、柔軟層は、振動部を構成する素材より
も小さなヤング率を有するものである必要があり、特に、振動部を構成する素材のヤング
率の０．１倍以下のヤング率を有するものであることが好ましい。
【００２０】
本発明において、前記半導体基板はシリコン基板であり、前記振動層はポリシリコン薄
膜で構成されていることが好ましい。シリコン基板上にポリシリコン薄膜で振動層を形成
することにより、通常のシリコン半導体プロセスにて振動子を構成することができるとと
もに、上記の回路構造やその他の回路などを半導体基板上に一体に構成することができる
。
【００２１】
本発明において、前記電極面は平面であり、前記振動部の前記外面は前記電極面と平行
な平面となっていることが好ましい。これによれば、電極面に挟まれた振動部の厚み方向
の振動を効率的に励起させることができる。
【００２２】
本発明において、前記外面及び前記電極面は、前記半導体基板の表面と垂直に構成され
ていることが好ましい。振動部の外面と励振電極の電極面とが半導体基板の表面と垂直に
構成されていることにより、振動部及び励振電極の半導体基板上の平面パターンによって
外面及び電極面の形状が決定されるので、当該形状をパターニングによって構成すること
ができるため、振動子構造を容易に形成することができる。また、上記のように構成する
ことによって振動子構造と半導体基板との間の寄生容量を小さくすることができるため、
後述するγ値を小さくすることができ、駆動電圧の低電圧化が可能になる。
【００２３】
本発明において、前記回路構造は前記半導体基板上に一体に構成されていることが好ま
しい。これによれば、励振電極を駆動する励振回路や出力回路などを一体に構成すること
ができるため、振動子（発振回路、共振器、フィルタなど）をさらにコンパクトに構成で
きる。また、半導体基板上に構成された集積回路内に上記の振動層及び電極層を含む振動
子構造を組み込むことが可能になるので、種々の電子回路の小型化を図ることが可能にな
る。
【発明を実施するための最良の形態】
【００２４】
（第１実施形態）
次に、添付図面を参照して本発明に係る実施形態について詳細に説明する。図１は第１
実施形態の薄膜振動子１００を備える半導体装置の概略平面図、図２は薄膜振動子１００
を備える半導体装置の縦断面図（図１のＩＩ−ＩＩ線に沿った断面を示す図）である。
【００２５】
第１実施形態の振動体である薄膜振動子１００は、半導体基板１０１の表面上に形成さ
れた絶縁膜１０２を有し、その上に振動層１１０と、電極層１２０とが形成されている。
振動層１１０は、絶縁膜１０２の表面上に固定された基部１１１と、この基部１１１に接
続された振動部１１２とを有する。この振動部１１２は、絶縁膜１０２の表面上に間隙を
介して配置されている。図示例では、振動部１１２は基部１１１から片持ち梁状に張り出
した形状を有する。振動部１１２は基部１１１よりも幅が小さく形成されている。また、
振動部１１２は、平面方向、より具体的には前後方向（図１の上下方向、図２の前後方向
）に一対の相互に平行な平面で構成される外面１１２ａ，１１２ｂを備えている。
【００２６】
電極層１２０は、絶縁膜１０２の表面上に固定された基部１２１と、この基部１２１に
接続された電極部１２２Ａ，１２２Ｂを有する。電極部１２２Ａ，１２２Ｂは絶縁膜１０
２の表面上に間隙を介して配置されている。図示例では、電極部１２２Ａ，１２２Ｂは基
部１２１から片持ち梁状に振動層１１０側に張り出した形状をそれぞれ有する。電極部１
２２Ａと１２２Ｂは上記振動部１１２の両側（より具体的には平面方向両側、図示例では
前後両側）にそれぞれ配置されている。そして、電極部１２２Ａ，１２２Ｂは、振動部１
１２の上記外面１１２ａ，１１２ｂにそれぞれ対向する電極面１２２ａ，１２２ｂを備え
ている。これらの電極面１２２ａ，１２２ｂは、振動部１１２の外面１１２ａ，１１２ｂ
と相互に平行な平面で形成されている。
【００２７】
半導体基板１０１には、薄膜振動子１００が形成された領域の半導体基板１０１の裏面
から絶縁膜１０２まで刳り抜かれて凹部１０７が形成される。刳り抜く領域は、薄膜振動
子１００が形成された領域の一部分でも良いが、薄膜振動子１００が形成された領域すべ
てにわたって半導体基板１０１の裏面から刳り抜くのが好ましい。刳り抜きの結果、薄膜
振動子１００は絶縁膜１０２上に形成された構成になる。
【００２８】
上記の振動層１１０と電極層１２０は、それぞれ半導体基板１０１上に形成された回路
構造１３０に接続されている。回路構造１３０は、上記電極層１２０に励振電位を供給す
るとともに、上記振動層１１０の振動に基づいて所定の出力信号を形成するように構成さ
れている。この回路構造１３０は半導体基板１０１上においてモノリシックに構成されて
いる回路素子、半導体基板１０１上に形成された薄膜を構成要素の少なくとも一部として
構成されている回路素子などで構成されている。
【００２９】
振動層１１０及び電極層１２０は、電位を伝えることのできる或る程度の導電性を有す
るとともに、静電気を表面に誘起可能なものであればよい。たとえば、半導体でも導体で
もよいが、特に製造が容易で、回路構造１３０にも影響を与えにくいことから、ポリシリ
コン薄膜で構成されていることが好ましい。特に、上記半導体基板１０１がシリコン基板
で構成されている場合、ポリシリコン薄膜で振動層１１０及び電極層１２０を形成すると
、通常のシリコン半導体製造プロセスにて上記薄膜振動子を形成することができることか
ら、製造が容易になるとともに、他の回路構造に与える影響を低減できる。ここで、ポリ
シリコン薄膜の導電率を調整するために、適宜にドーピングを行ってもよい。なお、振動
層１１０及び電極層１２０は、Ａｌ，Ｃｕ，Ａｇ，Ａｕ，Ｐｔ，Ｗ，Ｍｏなどの金属やＩ
ＺＯ，ＩＴＯ，ＺｎＯなどの酸化物導電体などで構成されていてもよい。
【００３０】
図３には、上記薄膜振動子１００における絶縁膜１０２上に構成された上記振動層１１
０及び電極層１２０の等価回路を示す。ここで、Ｃａは振動層１１０と電極層１２０との
間の静電容量の可変成分、Ｒは抵抗（損失）、Ｌはインダクタンス、Ｃｏは静電容量の定
常成分、Ｃｐは薄膜振動子１００と半導体基板１０１間に発生する寄生容量である。ここ
で、Ｃａ，Ｃｏは、主に振動層１１０と電極層１２０との間の静電容量に基づき、Ｃｐは
、振動層１１０及び電極層１２０と半導体基板１０１との間の静電容量などに基づく寄生
容量によるものである。また、静電容量の可変成分Ｃａは、振動部１１２の機械的振動に
起因するもの、典型的には外面１１２ａ，１１２ｂと電極面１２２ａ，１２２ｂとの間の
ギャップ変化に起因するものである。
【００３１】
この薄膜振動子１００の性能は、上記静電容量の可変成分と定常成分（寄生容量を含む
）の比γ＝Ｃａ／（Ｃｏ＋Ｃｐ）によって大きく影響を受ける。このγ値が大きくなると
、静電容量の変動成分Ｃａによる充放電電流が大きくなるので、励振電圧が低くても出力
電位を大きくすることができるため、出力信号のＳ／Ｎ比が高くなり、励振電圧も低電圧
化できる。
【００３２】
本実施形態の場合、振動部１１２及び電極部１２２Ａ，１２２Ｂを絶縁膜１０２の表面
上に間隙を介して配置しているため、静電容量の定常成分Ｃｏを小さくすることができる
。また、振動部１１２の外面１１２ａ，１１２ｂ及び電極部１２２Ａ，１２２Ｂの電極面
１２２ａ，１２２ｂが半導体基板１０１の表面と垂直に構成されているため、半導体基板
１０１の表面に対する寄生容量の影響が少なくなり、その結果、上記γ値を高めることが
できる。さらに、本実施形態では、薄膜振動子１００が形成された領域の半導体基板１０
１の裏面が刳りぬかれているため、絶縁膜１０２を介して発生する振動層１１０及び電極
層１２０と半導体基板１０１との間の寄生容量であるＣｐをより小さくすることができる
。その結果、振動子としての性能をさらに高めることができる。
【００３３】
この実施形態では、振動部１１２並びに電極部１２２Ａ及び１２２Ｂに所定の電位を与
えることによって、外面１１２ａ，１１２ｂ及び電極面１２２ａ，１２２ｂの表面に電荷
が出現するように構成することで、外面１１２ａ，１１２ｂと電極面１２２ａ，１２２ｂ
との間に静電力が発生し、この静電力によって振動部１１２の厚み（電極部１２２Ａ，１
２２Ｂによって挟まれている方向の幅、すなわち外面１１２ａと１１２ｂの間の厚み）が
増減する態様で機械的振動を発生させることができる。
【００３４】
より具体的には、外面１１２ａ，１１２ｂに誘起される電荷と、電極面１２２ａ，１２
２ｂに誘起される電荷とが同極性である場合には、外面と電極面との間に反発力が働くの
で、振動部１１２は厚み方向に縮み、外面に誘起される電荷と、電極面に誘起される電荷
とが逆極性である場合には、外面と電極面との間に吸引力が働くので、振動部１１２は厚
み方向に伸びることになる。このような機械的な伸縮振動は、外面と電極面との間隔を増
減させるため、この間隔の増減を電気的に取り出すことによって高周波信号を出力するこ
とができる。例えば、外面と電極面との間隔の増減によって振動層１１０と電極層１２０
との間の静電容量が増減するため、その静電容量の可変成分Ｃａを利用して振動子を構成
できる。また、上記の機械的な伸縮振動は、振動層１１０の電位変化や振動層１０を流れ
る電流量の変化にも現れるので、振動層１１０の電位や電流の変化に応じた出力を構成し
てもよい。
【００３５】
図４は、上記第１実施形態の変形例の構成を示す平面図である。この薄膜振動子１００
′では、絶縁膜１０２上に上記と同様の振動層１１０、電極層１２０及び回路構造１３０
を備えているので、同一部分には同一符号を付し、それらの説明は省略する。
【００３６】
この薄膜振動子１００′では、振動部１１２の外面上に外面導電膜１１２ａ′，１１２
ｂ′が形成され、電極部１２２Ａ，１２２Ｂの電極面上に電極導電膜１２２ａ′，１２２
ｂ′が形成されている点で、上記実施形態とは異なる。このように外面導電膜及び電極導
電膜を形成することにより、振動部１１２と電極部１２２Ａ，１２２Ｂの対向面上に電荷
が現れやすくなり、電位の面内均一性も向上するので、安定した振動特性を得ることがで
きる。また、振動部１１２及び電極部１２２Ａ，１２２Ｂの導電率を実質的に高めること
ができるため、振動子の抵抗を低下させることができる。なお、上記の外面導電膜と電極
導電膜のいずれか一方のみが形成されていてもよい。
【００３７】
図５は、本実施形態での薄膜振動子１００のインピーダンスの周波数特性を、模式的に
示した図である。点線は、薄膜振動子１００が形成された領域の半導体基板１０１の裏面
を刳り抜いて凹部１０７を形成しない状態での周波数特性を表し、実線は、半導体基板１
０１の裏面を刳り抜いた状態での周波数特性を表す。半導体基板１０１の裏面を刳り抜い
た場合、振動層１１０及び電極層１２０と半導体基板１０１との寄生容量であるＣｐが減
少して、共振周波数でのインピーダンス変化が大きくなり、振動子としてさらに利用しや
すくなる。
【００３８】
図６は、上記実施形態での薄膜振動子１００の回路構造１３０の具体例を示すものであ
る。回路構造１３０には、交流電源Ａｂ、負荷抵抗ＲL、直流バイアス電圧Ｖｄｃを含む
。上記の薄膜振動子１００は、電極層１２０に交流電源Ａｂにより交流入力電圧ｖｉ＝ｖ
ｓｉｎωｔを印加すると、振動部１１２は静電力によって上述のように厚み方向の機械的
伸縮振動を生ずる。そして、この機械的伸縮振動によって外面１１２ａ，１１２ｂと電極
面１２２ａ，１２２ｂの間隔が変化するため、外面１１２ａと電極面１２２ａとの間の静
電容量Ｃｓａ、及び、外面１１２ｂと電極面１２２ｂの間の静電容量Ｃｓｂが変動するの
で、振動部１１２の機械的伸縮振動と同期して直流バイアス電圧Ｖｄｃに基づいて負荷抵
抗ＲLを流れる電流が変動し、これによって出力端子Ｖｏの電位が振動し、振動部１１２
の振動に対応した振動波形が出力される。このような回路構造の構成は一例であり、他の
適宜の回路構成を採用することができる。また、通信回路などの種々の電子回路内に上記
振動子構造を組み込む形で構成することも可能である。
【００３９】
図７は、上記第１実施形態での薄膜振動子１００のインピーダンスの周波数特性を示す
。図示実線はインピーダンスを、図示破線は位相を表す。０．５〜１．５ＧＨｚの周波数
帯域に大きな共振特性が観察される。
【００４０】
図８は、上記第１実施形態の製造工程を示す概略工程断面図（ａ）〜（ｇ）である。上
記の薄膜振動子１００を製造する場合には、最初に、図８（ａ）に示すように半導体基板
１０１の表面上に熱酸化、塗布焼成処理、蒸着やスパッタリングなどにより酸化シリコン
などの絶縁膜１０２を形成する。この絶縁膜１０２は、半導体基板１０１が或る程度導電
性を有する場合に、半導体基板１０１と、上記の振動層１１０及び電極層１２０で構成さ
れる振動子構造との間の絶縁を確保するためのものである。半導体基板１０１は回路構造
１３０を一体に構成する上では例えばシリコン基板などの半導体基板であることが好まし
い。
【００４１】
次に、図８（ｂ）に示すように、所定領域に犠牲層１０３を形成し、この犠牲層１０３
に隣接して両側に配置される構造層１０４を形成する。犠牲層１０３は構造層１０４に対
して高い選択性をもって除去できる素材であればよく、ＰＳＧ（燐ドープガラス）などの
無機材料やレジストその他の合成樹脂などで形成できる。また、構造層１０４は、上記振
動層１１０及び電極層１２０の一部となるものであり、例えばポリシリコン（多結晶シリ
コン）で構成される。実際には、例えば、犠牲層１０３の成膜、パターニング、構造層１
０４の成膜、パターニングの順で上記構造が形成される。
【００４２】
次に、図８（ｃ）に示すように、上記犠牲層１０３及び構造層１０４の上に構造層１０
５が形成される。この構造層１０５は、犠牲層１０３の上を覆い、さらにその両側の上記
構造層１０４の上にかかるように形成される。構造層１０５は上記構造層１０４と同様の
素材で構成できる。
【００４３】
次に、上記構造層１０５をパターニングして、図１に示す振動子構造の平面パターンを
形成する。このとき、構造層１０４もまた同時にパターニングしてもよい。このパターニ
ング工程は、例えば、図８（ｄ）に示すように、構造層１０５の上に感光性樹脂などによ
りレジスト１０６を形成し、このレジスト１０６に露光・現像処理などを施して露出部分
（図示例では開口部１０６ａのみを示す）を設け、この開口部１０６ａや他の露出部分を
通して図８（ｅ）に示すように構造層１０５の一部をウエットエッチングやドライエッチ
ングなどにより除去することによって行われる。この工程によって、構造層１０４及び１
０５は、上記の振動層１１０及び電極層１２０の形状を有するものとなる。
【００４４】
次に、上記のように除去された構造層１０５の除去部分の一部（上記開口部１０６ａに
対応する部分）は、上記犠牲層１０３を露出させるので、図８（ｆ）に示すようにその一
部を通して犠牲層１０３を除去する。この犠牲層１０３の除去は、ウエットエッチングに
よって行うことができる。これによって、図１及び図２に示す振動子構造を持つ薄膜振動
子１００が形成される。
【００４５】
薄膜振動子１００が形成された後、図５（ｇ）に示すように薄膜振動子１００が形成さ
れた領域の半導体基板１０１の裏面を絶縁膜１０２まで刳り抜いて凹部１０７を形成する
。刳り抜きは、刳り抜かない部分にレジストを形成して、ウエットエッチングやドライエ
ッチングによって行うことができる。エッチングストップは、半導体基板１０１と絶縁膜
１０２のエッチングレートの違いによって行う。従って、エッチングレートの違いの大き
い、つまり選択比の大きなエッチングを行うのが好ましい。
【００４６】
例えば、ウエットエッチングとしては、ＫＯＨやＴＭＡＨ溶液（水酸化テトラメチルア
ンモニウム）が使用できる。また、ドライエッチングとしては、ＲＩＥ（リアクティブ・
イオン・エッチング）やＲＩＥ（リアクティブ・イオン・エッチング）とＣＤＥ（ケミカ
ル・ドライ・エッチング）のコンビネーションによるエッチングが使用できる。
【００４７】
さらに、レジストの形成を行わないで、ＦＩＢ（収束イオンビーム）加工による刳り抜
き又はレーザーによる刳り抜き等で凹部１０７を形成することも可能である。
【００４８】
半導体基板１０１の刳り抜きは、薄膜振動子１００形成前、薄膜振動子１００形成後の
いずれで行っても良い。薄膜振動子１００と回路を、例えばワイヤーボンディングやハン
ダバンプや金属バンプで接合する場合には、接合時の圧力に対する半導体基板１０１の強
度を考慮すると、薄膜振動子１００と回路を接合後に刳り抜きによる凹部１０７の形成を
行うのが好ましい。
【００４９】
なお、図４に示した外面導電膜１１２ａ′，１１２ｂ′及び電極導電膜１２２ａ′，１
２２ｂ′は、上記のように構成された振動子構造に対して塗布や蒸着などを施すことによ
って形成される。
【００５０】
（第２実施形態）
図９は、上記第１実施形態とは異なる別の第２実施形態の薄膜振動子２００の構造を示
す概略縦断面図である。この薄膜振動子２００は、半導体基板２０１の上に絶縁膜２０２
が形成され、その上に振動層２１０及び電極層２２０が形成されて、薄膜振動子２００が
形成された領域の半導体基板２０１の裏面から絶縁膜２０２まで刳り抜かれて凹部２０７
が形成されている点では、先に説明した第１実施形態の薄膜振動子１００と同様である。
この第２実施形態が先の第１実施形態と異なる点は、振動層２１０の基部２１１から伸び
る振動部２１２の上下両側に、電極層２２０の基部２２１から伸びる一対の電極部２２２
Ａ，２２２Ｂが配置されている点にある。すなわち、図１に示す先の第１実施形態では、
振動部１１２の平面方向両側に一対の電極部１２２Ａ，１２２Ｂが配置されていたのに対
して、この第２実施形態では、振動部２１２の垂直方向両側に一対の電極部２２２Ａ，２
２２Ｂが配置されている。また、この実施形態では、一方の電極部２２２Ａが半導体基板
２０１の上に（図示例ではその上の絶縁膜２０２上に）間隔を介することなく直接に形成
されている。このため、半導体基板２０１と振動層２１０及び電極層２２０の当接面積は
若干大きくなるため、上記静電容量の定常成分Ｃｏは若干増大するが、基本的な作用効果
は同様のものとすることができる。
【００５１】
第２実施形態を製造する場合には、図示点線で示すように、半導体基板２０１（絶縁膜
２０２）上に形成された第１層によって振動層２１０の基部２１１の下層部分及び電極層
２２０の電極部２２２Ａを構成し、この第１層の上に犠牲層などを利用して間隙を構成し
、さらにその上の第２層によって基部２１１の上層部分、振動部２１２及び基部２２１の
中層部分を構成し、この第２層の上に犠牲層などを利用して間隙を構成し、さらにその上
の第３層によって基部２２１の上層部分及び電極部２２２Ｂを構成するようにすればよい
。
【００５２】
（第３実施形態）
図１０に第１実施形態において、基部１１１，１２１と半導体基板１０１（絶縁膜１０
２）の接合する部分のみ半導体基板１０１を刳り抜いた場合の半導体装置の縦断面図を示
した。刳り抜きは、接合する部分の一部分でも構わないが、接合する部分の全体を繰り抜
けば、電極と半導体基板１０１の絶縁膜１０２を介した寄生容量の低減に効果的である。
また、第１実施形態のように接合部分以外も刳り抜けば、寄生容量の低減に効果があるが
、半導体基板１０１の強度等も考慮して刳り抜く領域を選択する。
【００５３】
尚、本発明の薄膜振動子は、上述の図示例にのみ限定されるものではなく、本発明の要
旨を逸脱しない範囲内において種々変更を加え得ることは勿論である。
（変形例１）
上記各実施形態では、半導体基板と振動部との間隔、及び、振動部と電極部との間隙が
空隙として構成されているが、これらの間隙が絶縁性を有する液体、粒体などのような流
動物質で満たされていてもよく、また、上記間隔に振動部よりもヤング率の低い絶縁素材
からなる柔軟層が配置されていても構わない。これらの材料は上記振動部の伸縮振動を本
質的に妨げるものではないからである。ただし、振動部よりもヤング率の低い柔軟層が上
記間隔に配置されている場合には、当該柔軟層のヤング率は、振動部のヤング率の０．１
倍以下であることが好ましい。これは、柔軟層による振動部の振動エネルギーの損失を低
減する必要があるからである。このような柔軟層を構成する素材としては、例えば、ポリ
イミド樹脂が挙げられる。
【００５４】
（変形例２）
半導体基板はシリコン以外のＧａＡｓ，ＳｉＧｅ等でも適用可能であり、振動体もシリ
コンに限定されることなく、ＧａＡｓ，ＳｉＧｅ等でも形成可能である。
【００５５】
（変形例３）
上記実施形態は、振動体を備えた半導体装置であれば適用可能である。例えば、リニア
型、屈曲型、屈曲改良型、径振動基本型などの構造を持つものにも応用できる。
【００５６】
（変形例４）
上記実施形態の絶縁膜は、酸化シリコンに限定されず絶縁膜であれば適用可能である。
例えば、窒化シリコン等の半導体製造で使用される絶縁膜であれば好ましい。
【図面の簡単な説明】
【００５７】
【図１】第１実施形態の半導体装置の平面図。
【図２】半導体装置の縦断面図。
【図３】半導体装置の等価回路図。
【図４】変形例の平面図。
【図５】凹部を形成した場合のインピーダンスの周波数特性を示す図。
【図６】薄膜振動子の回路構成例を示す回路図。
【図７】薄膜振動子のインピーダンスの周波数特性を示す図。
【図８】半導体装置の製造工程を示す工程断面図（ａ）〜（ｇ）。
【図９】第２実施形態の半導体装置の縦断面図。
【図１０】第３実施形態の半導体装置の縦断面図。
【符号の説明】
【００５８】
１００…振動体としての薄膜振動子、１０１…半導体基板、１０２…絶縁膜、１０７…半
導体基板に刳りぬかれた凹部、１１０…振動層、１１１…基部、１１２…振動部、１１２
ａ，１１２ｂ…外面、１２０…電極層、１２１…基部、１２２Ａ，１２２Ｂ…電極として
の電極部、１２２ａ，１２２ｂ…電極面、１３０…回路構造、２００…振動体としての薄
膜振動子、２０１…半導体基板、２０２…絶縁膜、２０７…半導体基板に刳り抜かれた凹
部、２１０…振動層、２１１…基部、２１２…振動部、２２０…電極層、２２１…基部、
２２２Ａ，２２２Ｂ…電極としての電極部。
【図１】
2005229564.tif 000003
【図２】
2005229564.tif 000004
【図３】
2005229564.tif 000005
【図４】
2005229564.tif 000006
【図５】
2005229564.tif 000007
【図６】
2005229564.tif 000008
【図７】
2005229564.tif 000009
【図８】
2005229564.tif 000010
【図９】
2005229564.tif 000011
【図１０】
2005229564.tif 000012